(57)【特許請求の範囲】
【請求項１】
下方に向かって下拡がりの首部と、
この首部に回動部材を介して回動自在に接続されたフックと、
この首部の下広がりの一方の端部に回動自在に支持された一方のハンガー腕と、
前記首部の下広がりの他方の端部に回動自在に支持された他方のハンガー腕と、
前記一方のハンガー腕の前記首部より遠い側の端部に回動自在に取り付けられた一方
の桟部と、
前記他方のハンガー腕の前記首部より遠い側の端部に回動自在に取り付けられた他方
の桟部と、
前記一方のハンガー腕の内側に前記一方のハンガー腕の長手方向に沿って設けられた第１の凸部と、
前記他方のハンガー腕の内側に前記他方のハンガー腕の長手方向に沿って設けられた第２の凸部と、
前記一方の桟部の内側に前記一方の桟部の長手方向に沿って設けられた第１の凹部と、
前記他方の桟部の内側に前記他方の桟部の長手方向に沿って設けられた第２の凹部とを備え、
前記他方の桟部と前記一方の桟部とは、回動自在に接続され、
使用時は前記他方の桟部と前記一方の桟部とを離間させるように回動して直線状にな
し、
収納時は前記他方の桟部と前記一方の桟部とを互いに対向するように回動して並設さ
せ、前記フックを並設された前記他方の桟部と前記一方の桟部の側に回動させ、
前記他方の桟部と前記一方の桟部とを互いに対向するように回動して並設させた時、
前記第１の凸部が前記第１の凹部内に、前記第２の凸部が前記第２の凹部内に、それぞれ
進入している
ことを特徴とするハンガー。
【請求項２】
一方の桟部の長手方向を横断する断面形状はＨ形状であり、該Ｈ形状の凹部の内、第１の凹部は、一方のハンガー腕に対向する部位であり、
他方の桟部の長手方向を横断する断面形状はＨ形状であり、該Ｈ形状の凹部の内、第２の凹部は、他方のハンガー腕に対向する部位である
ことを特徴とする請求項１記載のハンガー。
【請求項３】
下方に向かって下拡がりの首部と、
この首部に回動部材を介して回動自在に接続されたフックと、
この首部の下広がりの一方の端部に回動自在に支持された一方のハンガー腕と、
前記首部の下広がりの他方の端部に回動自在に支持された他方のハンガー腕と、
前記一方のハンガー腕の前記首部より遠い側の端部に回動自在に取り付けられた一方
の桟部と、
前記他方のハンガー腕の前記首部より遠い側の端部に回動自在に取り付けられた他方
の桟部と、
前記一方のハンガー腕の内側に前記一方のハンガー腕の長手方向に沿って設けられた第１の凸部と、
前記他方のハンガー腕の内側に前記他方のハンガー腕の長手方向に沿って設けられた第２の凸部と、
前記一方の桟部の内側に前記一方の桟部の長手方向に沿って設けられた第１の凹部と、
前記他方の桟部の内側に前記他方の桟部の長手方向に沿って設けられた第２の凹部とを備え、
前記他方の桟部と前記一方の桟部とは、回動自在に接続され、
使用時は前記他方の桟部と前記一方の桟部とを離間させるように回動して直線状にな
し、
収納時は前記他方の桟部と前記一方の桟部とを互いに対向するように回動して並設さ
せ、前記フックを並設された前記他方の桟部と前記一方の桟部の側に回動させ、
前記他方の桟部と前記一方の桟部とを互いに対向するように回動して並設させた時、
前記第１の凸部が前記第１の凹部内に、前記第２の凸部が前記第２の凹部内に、それぞれ
進入している
ことを特徴とするハンガーの使用方法。
【請求項４】
一方の桟部の長手方向を横断する断面形状はＨ形状であり、該Ｈ形状の凹部の内、第１の凹部は、一方のハンガー腕に対向する部位であり、
他方の桟部の長手方向を横断する断面形状はＨ形状であり、該Ｈ形状の凹部の内、第２の凹部は、他方のハンガー腕に対向する部位である
ことを特徴とする請求項３記載のハンガーの使用方法。
【発明の詳細な説明】
【技術分野】
【０００１】
本発明は、ハンガー及びハンガーの使用方法に係り、特に、コンパクトなハンガー及びハンガーの使用方法に関する。
【背景技術】
【０００２】
ハンガーの水平な桟部（直線部）を、一方の桟部（一方の直線部）と他方の桟部（他方の直線部）で構成し、一方の桟部と他方の桟部との接続部位を回動自在にし、使用時、一方の桟部と他方の桟部とを直線状に形成し、
ハンガーの水平な桟部（直線部）を折り畳んで収納する時、一方の桟部と他方の桟部を接続部位を介して折り、一方の桟部と他方の桟部を並設させたハンガーがある（例えば、特許文献１参照）。
【先行技術文献】
【特許文献】
【０００３】
【特許文献１】特開２００１−３３４０９９号公報（図５）
【発明の概要】
【発明が解決しようとする課題】
【０００４】
しかしながら、上述したハンガーにあっては、収納時、ハンガーのフックは、使用時と収納時が同じ形態をし、収納時、フックが突出しているため、フックが突出している分、長くなるという寸法の点で改善の余地があった。
【０００５】
本発明は、上記した点を考慮してなされたもので、コンパクトなハンガー及びハンガーの使用方法を提供することを目的とする。
【課題を解決するための手段】
【０００６】
請求項１記載のハンガーは、下方に向かって下拡がりの首部と、この首部に回動部材を介して回動自在に接続されたフックと、この首部の下広がりの一方の端部に回動自在に支持された一方のハンガー腕と、前記首部の下広がりの他方の端部に回動自在に支持された他方のハンガー腕と、前記一方のハンガー腕の前記首部より遠い側の端部に回動自在に取り付けられた一方の桟部と、前記他方のハンガー腕の前記首部より遠い側の端部に回動自在に取り付けられた他方の桟部と、前記一方のハンガー腕の内側に前記一方のハンガー腕の長手方向に沿って設けられた第１の凸部と、前記他方のハンガー腕の内側に前記他方のハンガー腕の長手方向に沿って設けられた第２の凸部と、前記一方の桟部の内側に前記一方の桟部の長手方向に沿って設けられた第１の凹部と、前記他方の桟部の内側に前記他方の桟部の長手方向に沿って設けられた第２の凹部とを備え、前記他方の桟部と前記一方の桟部とは、回動自在に接続され、使用時は前記他方の桟部と前記一方の桟部とを離間させるように回動して直線状になし、収納時は前記他方の桟部と前記一方の桟部とを互いに対向するように回動して並設させ、前記フックを並設された前記他方の桟部と前記一方の桟部の側に回動させ、前記他方の桟部と前記一方の桟部とを互いに対向するように回動して並設させた時、前記第１の凸部が前記第１の凹部内に、前記第２の凸部が前記第２の凹部内に、それぞれ進入しているものである。
【０００７】
また、請求項２記載のハンガーは、請求項１記載のハンガーにおいて、一方の桟部の長手方向を横断する断面形状はＨ形状であり、該Ｈ形状の凹部の内、第１の凹部は、一方のハンガー腕に対向する部位であり、他方の桟部の長手方向を横断する断面形状はＨ形状であり、該Ｈ形状の凹部の内、第２の凹部は、他方のハンガー腕に対向する部位である。
【０００８】
また、請求項３記載のハンガーの使用方法は、下方に向かって下拡がりの首部と、この首部に回動部材を介して回動自在に接続されたフックと、この首部の下広がりの一方の端部に回動自在に支持された一方のハンガー腕と、前記首部の下広がりの他方の端部に回動自在に支持された他方のハンガー腕と、前記一方のハンガー腕の前記首部より遠い側の端部に回動自在に取り付けられた一方の桟部と、前記他方のハンガー腕の前記首部より遠い側の端部に回動自在に取り付けられた他方の桟部と、前記一方のハンガー腕の内側に前記一方のハンガー腕の長手方向に沿って設けられた第１の凸部と、前記他方のハンガー腕の内側に前記他方のハンガー腕の長手方向に沿って設けられた第２の凸部と、前記一方の桟部の内側に前記一方の桟部の長手方向に沿って設けられた第１の凹部と、前記他方の桟部の内側に前記他方の桟部の長手方向に沿って設けられた第２の凹部とを備え、前記他方の桟部と前記一方の桟部とは、回動自在に接続され、使用時は前記他方の桟部と前記一方の桟部とを離間させるように回動して直線状になし、収納時は前記他方の桟部と前記一方の桟部とを互いに対向するように回動して並設させ、前記フックを並設された前記他方の桟部と前記一方の桟部の側に回動させ、前記他方の桟部と前記一方の桟部とを互いに対向するように回動して並設させた時、前記第１の凸部が前記第１の凹部内に、前記第２の凸部が前記第２の凹部内に、それぞれ進入しているものである。
【０００９】
また、請求項４記載のハンガーの使用方法は、請求項３記載のハンガーの使用方法において、一方の桟部の長手方向を横断する断面形状はＨ形状であり、該Ｈ形状の凹部の内、第１の凹部は、一方のハンガー腕に対向する部位であり、他方の桟部の長手方向を横断する断面形状はＨ形状であり、該Ｈ形状の凹部の内、第２の凹部は、他方のハンガー腕に対向する部位である。
【発明の効果】
【００１０】
請求項１記載のハンガーによれば、水平状の一方の桟部と他方の桟部を折り畳んで収納する時、他方の桟部と一方の桟部とを互いに対向するように並設させ、該並設させた側に、フックを回動させたため、突出したフックを回動させた分、並設した他方の桟部と一方の桟部の長手方向の寸法を小さくしてコンパクトにすることができる。
【００１１】
また、請求項１記載のハンガーによれば、収納時、第１の凸部が第１の凹部内に、第２の凸部が第２の凹部内に、それぞれ進入しているため、第１の凸部が第１の凹部内に、第２の凸部が第２の凹部に、それぞれ近接し、並設した他方の桟部と一方の桟部の長手方向を横断する幅寸法を小さくして、コンパクトにすることができ、しかも、収納状態にある一方の桟部及び／又は他方の桟部は不安定で、例えば、収納状態にある一方の桟部及び／又は他方の桟部を前方側へ無理に引っ張ろうとしても、第１の凸部が第１の凹部内に、第２の凸部が第２の凹部内に、それぞれ当接して、引っ張り方向の動きを規制して、一方の桟部又は及び他方の桟部等の破損を防ぐことができる。
【００１２】
また、請求項３記載のハンガーの使用方法によれば、水平状の一方の桟部と他方の桟部を折り畳んで収納する時、他方の桟部と一方の桟部とを互いに対向するように並設させ、該並設させた側に、フックを回動させたため、突出したフックを回動させた分、並設した他方の桟部と一方の桟部の長手方向の寸法を小さくしてコンパクトにすることができる。
【００１３】
また、請求項３記載のハンガーの使用方法によれば、収納時、第１の凸部が第１の凹部内に、第２の凸部が第２の凹部内に、それぞれ進入しているため、第１の凸部が第１の凹部内に、第２の凸部が第２の凹部に、それぞれ近接し、並設の長手方向を横断する幅寸法を小さくして、コンパクトにすることができ、しかも、収納状態にある一方の桟部及び／又は他方の桟部は不安定で、例えば、収納状態にある一方の桟部及び／又は他方の桟部を前方側へ無理に引っ張ろうとしても、第１の凸部が第１の凹部内に、第２の凸部が第２の凹部内に、それぞれ当接して、引っ張り方向の動きを規制して、一方の桟部又は及び他方の桟部等の破損を防ぐことができる。
【図面の簡単な説明】
【００１４】
【図１】図１は、本発明の一実施例のハンガーの使用状態の概略的正面図である。
【図２】図２は、図１のハンガーの一部を破断して示す概略的一部破断正面図である。
【図３】図３は、図１のハンガーの折り畳み途中の概略的正面図である。
【図４】図４は、図３の４−４線による概略的断面図である。
【図５】図５は、図３の５−５線による概略的断面図である。
【図６】図６は、図３の６−６線による概略的断面図である。
【図７】図７は、図１のハンガーの折り畳み過程を示した概略的正面図である。
【図８】図８は、ハンガーのフックを折り畳んだ一方の桟部、他方の桟部の側に回動した状態を示す図７の概略的側面図である。
【図９】図９は、図７のフックの回動前の状態を示す概略的正面図である。
【図１０】図１０は、図９の１０−１０線による概略的断面図である。
【図１１】図１１は、図３の１１−１１線による概略的断面図である。
【図１２】図１２は、図１１のフックを折り畳んだ一方の桟部、他方の桟部の側に回動する前と回動した状態のそれぞれを示す概略的断面図である。
【図１３】図１３は、図１１の他の実施例を示す概略的断面図である。
【図１４】図１４は、図１３のフックを並設した一方の桟部、他方の桟部の側に回動させた状態を示す概略的断面図である。
【発明を実施するための形態】
【００１５】
本発明の一実施例のハンガー及びハンガーの使用方法を図面を参照して説明する。
図１に示すＨはハンガーで、ハンガーＨは、例えば、合成樹脂で形成され、下方に向かって下拡がりの首部１と、この首部１に回動部材３０を介して回動自在に接続されたフック２と、この首部１の下広がりの一方の端部に回動自在に支持された一方のハンガー腕３と、首部１の下広がりの他方の端部に回動自在に支持された他方のハンガー腕４と、一方のハンガー腕３の首部１より遠い側の端部に回動自在に取り付けられた一方の桟部（一方の直線部）５と、他方のハンガー腕４の首部より遠い側の端部に回動自在に取り付けられた他方の桟部（他方の直線部）６とを備えている。
【００１６】
首部１は、上部には回動部材３０を回動自在に支持する支持部位１１、下部には下方に向かって下拡がりの部位１２、１３をそれぞれ有している。また、支持部位１１には、略Ｕ字形状の開口部１１ａが設けられている。この開口部１１ａは、ハンガＨの収納時（図８参照）、他方の桟部６と一方の桟部５とを互いに対向するように並設させた側に、フック２を回動させるためのものである（図７及び図８参照）。
また、フック２は、物干し竿２０等に引っ掛けるためのもので、フック２は、例えば、第１のフック２１と第２のフック２２とで構成され、第２のフック２２は第１のフック２１に対して図示しないバネにより、第２のフック２２の先端が第１のフック２１の先端に当接するように付勢されている。フック２は、首部１に回動部材３０を介して接続されている。フック２は、図１１に矢印で示すように、水平方向の回転と矢印Ｘ方向の回動ができるように、回動部材３０に接続されている。
【００１７】
また、図１〜図４及び図１０に示すように、一方のハンガー腕３の内側に一方のハンガー腕３の長手方向に沿って第１の凸部３ａが設けられている。
また、他方のハンガー腕４の内側に他方のハンガー腕４の長手方向に沿って第２の凸部４ａが設けられている。
【００１８】
また、一方の桟部５は、一方のハンガー腕３の首部１（より詳しくは、首部１の下拡がりの部位１２）より遠い側の端部に回動自在に、例えば、図３及び図６に示すように、一方のハンガー腕３の先端の近傍に設けられた孔３ｃ、一方の桟部５の先端の近傍に設けられた孔５ｃ、に挿入された軸４０を介して回動自在に取り付けられている。
他方の桟部６は、一方の桟部５と同様に、他方のハンガー腕４の首部１（より詳しくは、首部１の下拡がりの部位１３）より遠い側の端部に回動自在に、例えば、図３に示すように、他方のハンガー腕４の先端の近傍に設けられた孔（図示せず）、他方の桟部（他方の直線部）６の先端の近傍に設けられた孔（図示せず）、に挿入された軸５０を介して回動自在に取り付けられている。
また、図３、図４、図９及び図１０に示すように、一方の桟部５の内側に一方の桟部５の長手方向に沿って第１の凹部５ａが設けられている。
また、他方の桟部６の内側に他方の桟部６の長手方向に沿って第２の凹部６ａが設けられている。
そして、他方の桟部６と一方の桟部５とは、回動自在に接続され、例えば、図３及び図５に示すように、一方の桟部５の先端に設けた突部５ｂ、５ｂを他方の桟部６の先端の近傍に設けた孔６ｂ、６ｂに係止するようにしている。ハンガーＨの使用時は図１に示すように、他方の桟部６と一方の桟部５とを離間させるように回動して直線状になし、収納時は、他方の桟部６と一方の桟部５とを互いに対向するように、図２に示す方向に回動して他方の桟部６と一方の桟部５を並設させている（図３及び図７参照）。
その際、図９及び図１０に示すように、第１の凸部３ａが第１の凹部５ａ内に、第２の凸部４ａが第２の凹部６ａ内に、それぞれ進入することとなる。
そして、他方の桟部６と一方の桟部５とが並設した後、フック２を並設された他方の桟部６及び一方の桟部５の側に回動、図１１に示すＸ方向（反時計回り）に回動させる（図８及び図１２参照）。
【００１９】
従って、上述したハンガーＨ（ハンガーの使用方法）によれば、他方の桟部６と一方の桟部５とを直線状になした状態で、他方の桟部６と一方の桟部５とに亘ってバスタオル１０を当接させて使用し、使用後、ハンガーＨを折り畳むようにする。
即ち、水平状の一方の桟部５と他方の桟部６を折り畳んで収納する収納時、他方の桟部６と一方の桟部５とを互いに対向するように並設させ、該並設させた側に、フック２を回動させ、つまり、突出したフック２を回動させた分、他方の桟部６と一方の桟部５の並設した長手方向の寸法を小さくして、コンパクトにすることができる。
また、ハンガーＨを折り畳んで収納する時、第１の凸部３ａが第１の凹部５ａ内に、第２の凸部４ａが第２の凹部６ａ内に、それぞれ進入させるため、第１の凸部５ａが第１の凹部５ａ内に、第２の凸部４ａが第２の凹部６ａに、それぞれ近接し、並設の長手方向を横断する幅寸法を小さくして、コンパクトにすることができ、しかも、収納状態にある一方の桟部５及び／又は他方の桟部６は不安定で、例えば、収納状態にある一方の桟部５及び／又は他方の桟部６を前方側へ無理に引っ張ろうとしても、第１の凸部３ａが第１の凹部５ａ内に、第２の凸部４ａが第２の凹部６ａ内に、それぞれ当接して、引っ張り方向の動きを規制して、一方の桟部５及び／又は他方の桟部６等の破損を防ぐことができる。
【００２０】
なお、上述した本実施例にあっては、ハンガーＨの首部１に略Ｕ字形状の開口部１１ａを１個設けたが、本願発明にあっては、これに限らず、例えば、図１３及び図１４に示すように、開口部１１ａと反対側に別途開口部１１ａ’を設け、フック２の回動方向Ｘの他に回動方向Ｘ’にも回動できるようにして、フック２を並設された他方の桟部６及び一方の桟部５の一方の側のみならず、反対の他方の側にも回動させるようにしても良い。
【００２１】
また、本実施例のハンガーＨは、幅広のバスタオル１０に合わせるようにバスタオル用ハンガーに好適であるが、本願発明にあっては、これに限らず、バスタオル１０より幅の狭い一般的なタオル用の寸法にして、一般的なハンガーＨにも同様に適用することもできるものである。
【符号の説明】
【００２２】
Ｈ      ハンガー
２      フック
５      一方の桟部
６      他方の桟部
【図１】
0005723572.tif 000002
【図２】
0005723572.tif 000003
【図３】
0005723572.tif 000004
【図４】
0005723572.tif 000005
【図５】
0005723572.tif 000006
【図６】
0005723572.tif 000007
【図７】
0005723572.tif 000008
【図８】
0005723572.tif 000009
【図９】
0005723572.tif 000010
【図１０】
0005723572.tif 000011
【図１１】
0005723572.tif 000012
【図１２】
0005723572.tif 000013
【図１３】
0005723572.tif 000014
【図１４】
0005723572.tif 000015